【事件の表示】
　平成１０年特許願第３３３３３２号「コイン振り分け装置」拒絶査定不服審判事件〔平成１２年　５月１２日出願公開、特開２０００−１３２７２３〕について、次のとおり審決する。
【結　論】
　本件審判の請求は、成り立たない。
【理　由】
１．手続の経緯・本件発明
　本願は、平成１０年１０月２０日の出願であって、平成１９年８月９日付で拒絶査定がなされ、これに対し同年９月１８日に査定を不服とする審判が請求されたものであって、同年１０月１７日付で明細書を補正対象書類とする手続補正がなされたものである。その後、当審による平成２１年３月３日付の審尋に対して同年５月１日付で回答書が提出され、さらに当審による同年７月１７日付拒絶理由に対して同年９月１６日付で手続補正がなされたものである。
　本願の請求項１に係る発明は、平成２１年９月１６日付手続補正書により補正された明細書及び図面の記載からみて、その特許請求の範囲の請求項１に記載された事項により特定されるとおり、次のものと認められる。
「コインを収納する角漏斗形のホッパ(45)と、
前記ホッパの下部に位置し、コインが通過できる貫通孔(42)及びコインを押出すための爪(43)を下面に有するディスク(41)と、
前記ディスク（41）を配置したベース板（31）と、
前記爪によって押し出されるコインがスライドするプレート(33)と、
前記ディスクの直近側方にコイン出口(37)を形成する一対のローラ(39)と、
前記ディスクを回転するため下方に突出する回転軸を有する電気モータ(15)と、
前記回転軸と前記ディスクとを駆動連結するギヤ列(16、17、22、23、25)と、
前記コイン出口から払い出されたコインの計数用のセンサ(8)と、
を有するコインのホッパ装置において、
前記ベース板(31)は前記ディスク(41)の下方及び前記コイン出口(37)の一側方であって、かつ、前記ディスク(41)を前記コイン出口(37)側から視たその片半側の円弧部分と相対する位置関係での側方に位置する突出部分によって平面視ほぼ長方形であって、前記突出部分の側方であって前記出口(37)の前方は前記突出部分に対し窪みに形成され、
前記突出部分に前記電気モータ(15)を前記回転軸が下方に突出する倒立状態で前記ホッパ(45)の一角部の下方に固定し、
前記コイン出口(37)の他側方であって、かつ、前記ディスク(41)を前記コイン出口(37)側から視たその他片半側の円弧部分の端部と相対し、かつ前記窪みの端部に位置する関係で、前記センサ(8)を前記ホッパ(45)の前記一角部に相対する角部の下方に配置したことを特徴とするコインのホッパ装置。」（以下、「本件発明」という。）
　
２．当審の拒絶理由の概要
　当審にて平成２１年７月１７日付で通知した拒絶理由の概要は、本願の請求項１に係る発明が、本願の出願前に国内で頒布された以下の刊行物に記載された発明に基いて当業者が容易に発明をすることができたものであるから、特許法第２９条第２項の規定により特許を受けることができない、というものである。
　刊行物１：　特開平１０−２６１１２５号公報
　刊行物２：　特開平６−１５０１０２号公報
　刊行物３：　実願平５−３５９２３号（実開平７−６８６１号）の
　　　　　　　ＣＤ−ＲＯＭ
　
３．刊行物記載の発明（事項）
　上記各刊行物には、以下の記載が認められる。
　
3.1　刊行物１
ａ．（明細書段落【０００１】）
「【０００１】
【発明の属する技術分野】本発明は、遊技設備で使用されるメダルやコイン等の円板状体を一枚ずつ繰り出す装置で、詳しくは、多数の円板状体を収納可能なホッパーの底部に、前記円板状体が入り込み、かつ、この円板状体を回転経路に沿って移送する複数の貫通孔又は切欠部を回転方向に所定間隔を置いて形成してある回転体を設けるとともに、前記回転体に、前記貫通孔又は切欠部内の円板状体の一部を載置支持する環状の受け部材を設けてある円板状体の繰出装置に関する。」
ｂ．（同段落【０００８】〜【００１０】）
「【０００８】
【発明の実施の形態】図１〜図６は本発明の円板状体の繰出装置の好ましい実施形態を示し、上方に開口するホッパー１の底部を構成する駆動ケース１Ａ内に、電動モータＭと減速機構２とを取り付けるとともに、駆動ケース１Ａの上壁１ａの上面に、円板状体の一例であるメダルＡを回転経路に沿って移送するための複数の貫通孔３Ａを備えた合成樹脂製の円板状の回転体３を設けてある。前記複数の貫通孔３Ａは、メダルＡよりも少し大なる径を有し、回転体３の回転方向に所定間隔を置いて形成してある。
【０００９】前記回転体３の裏面には、図４，図５に示すように、各貫通孔３Ａ内に入り込んだメダルＡの一部を載置支持する環状の受け部材１０が回転体３と同芯状に一体形成され、貫通孔３Ａ内のメダルＡを環状受け部材１０にて載置支持した状態で回転経路に沿って移送することができるように構成されている。前記環状受け部材１０は、回転体３の貫通孔３Ａの環状移動領域のうちの、回転半径方向の中間部に相当する位置に配置されており、更に、この環状受け部材１０の裏面には、それの周方向に沿って環状突起４Ｂが取り付けられているとともに、前記電動モータＭにて駆動される減速機構２の伝動ギア２Ｂと噛み合い連動する金属製の減速用のギア４を一体回転状態で設けてある。詳しくは、前記減速用ギア４を構成するギア部（当該実施形態ではギア歯）４Ａを、環状突起４Ｂの回転半径方向外方側の外周面に一体形成してある。前記ホッパー１は、前記駆動ケース１Ａと、駆動ケース１Ａの上壁１ａの上面に脱着自在に係止保持されるホッパーケース１Ｂとから構成してあり、この駆動ケース１Ａに係止保持されたホッパーケース１Ｂ内に、多数のメダルＡが投入される。
【００１０】図２，図３に示すように、前記減速機構２は、電動モータＭにより駆動回転される回転体３の回転数を、回転体３によるメダルＡの繰出しに適した回転数に調整するためのものであって、電動モータＭの駆動軸に取り付けらたウォームと、該ウォームに噛み合うウォームホイールとからなるウォームギア２Ａと、ウォームホイールの回転軸の一端側に設けられ、ウォームギア２Ａと一体的に回転する前記伝動ギア２Ｂとから構成してあるとともに、この減速機構２を、電動モータＭから減速用ギア４への動力伝達系に構成してある。」
ｃ．（同段落【００１２】）
「【００１２】図１〜図３に示すように、前記駆動ケース１Ａの上壁１ａの上面には、前記窪み部の周縁に沿って環状の周壁９を一体的に立設してあり、前記回転体３の回転半径方向外方がこの環状周壁９で囲まれているとともに、環状周壁９の端部周面上に、ホッパーケース１Ｂの底部開口周縁部を載置支持してある。図４に示すように、前記回転体３の裏面には、各貫通孔３Ａ内に入り込んだメダルＡを、前記駆動ケース１Ａの上壁１ａと環状周壁９とに亘って形成されたメダル送出口９Ａに向かって回転半径方向外方に送り出すための送出溝３ａが形成されている。前記回転体３の回転方向で隣接する前記送出溝３ａ間の仕切り壁３ｂの壁面のうち、回転方向下手側に位置する壁面部分３ｃは、回転半径外方側ほど回転方向下手側に位置する弧状面に形成されていて、回転体３の回転に連れて貫通孔３Ａ内のメダルＡを回転半径方向外方に押し出すことができるものであって、前記貫通孔３Ａ内のメダルＡは、それの円周面が、環状周壁９の内周面に接当しながら、前記壁面部分３ｃに押圧されてメダル送出口９Ａ相当箇所まで回転体３の回転経路に沿って移送される。」
ｄ．（同段落【００１４】）
「【００１４】図２，図３に示すように、前記駆動ケース１Ａの上壁１ａの窪み部のうち、回転体３の回転経路の一箇所には、回転体３の回転に連れて押圧移送される貫通孔３Ａ内のメダルＡを、前記仕切り壁３ｂの壁面部分３ｃによる押圧によって、回転体３の裏面と駆動ケース１Ａの上壁１ａとの間を通して回転半径方向外方に形成された前記メダル送出口９Ａに送り出す送出手段１３を設けてある。詳しくは、前記送出手段１３は、前記メダル送出口９Ａの近傍箇所で、前記回転体３の貫通孔３Ａの環状移動領域内に位置し、かつ、前記環状ガイド溝１２の回転半径方向の両側脇に位置する駆動ケース１Ａの上壁上面の両環状面１１に各々配置された２つのピン状のガイド１３Ａ，１３Ｂから構成されている。しかも、前記環状受け部材１０よりも回転半径方向の外方側に位置するピン状ガイド１３Ｂが、内方側に位置するピン状ガイド１３Ａよりも回転方向下手側に偏位する状態で各別に取付けてある。」
ｅ．（同段落【００１６】）
「【００１６】図３に示すように、前記メダル送出口９Ａのメダル移動方向上手側部位には、送出手段１３にて回転体３から送り出されたメダルＡと接当して、これをカウントするカウンター部材１５が揺動自在に取付けられている。前記カウンター部材１５は、前記駆動ケース１Ａの上壁１ａに貫通形成された長孔１６を通して駆動ケース１Ａ内から上壁１ａの上面側に突出して、前記回転体３の貫通孔３Ａから送り出されてきたメダルＡと接当するカウンターローラ１７と、このカウンターローラ１７が遊転状態で取付けられ、かつ、前記駆動ケース１Ａの上壁１ａに対して垂直となる方向の軸芯周りで揺動自在に駆動ケース１Ａ内に取付けられたカウンターアーム１８と、カウンターローラ１７をメダルＡに接当する側へ移動付勢するべく、カウンターアーム１８と駆動ケース１Ａとの間に取付けたスプリング１９とから構成されている。前記駆動ケース１Ａ内には、前記カウンターアーム１８の揺動時に、これの通過を検出するための門型の光電型のセンサ２０を取り付けてあり、該センサ２０の検出回数に基づいてメダル送出口９Ａを通過するメダルＡの枚数を計数するよう構成してある。」
ｆ．（図３及び図６）
　ホッパーケース１Ｂは角漏斗状をなし、電動モータＭがホッパーケース１Ｂの下方に固定され、カウンター部材１５がホッパーケース１Ｂの一角部の下方に配置されていること、が容易に理解されるように示されていると認める。
　
　上記摘記事項を、技術常識を勘案しつつ、本件発明の記載に沿って整理すると、刊行物１には、以下の発明が記載されていると認められる。
「メダルを収納する角漏斗形のホッパーケースと、前記ホッパーケースの下部に位置し、メダルが通過できる貫通孔及びメダルを押出すための壁面部分を下面に有する回転体と、前記回転体の下方に配置した駆動ケース上壁と、前記回転体の直近側方に形成したメダル送出口と、前記回転体を回転するための回転軸を有する電動モータと、前記回転軸と前記回転体とを駆動連結する減速機構と、前記メダル送出口から払い出されたメダルの計数用のカウンター部材と、を有する円板状体の繰出装置において、前記電動モータを前記ホッパーケースの下方に固定し、前記カウンター部材を前記ホッパーケースの一角部の下方に配置した円板状体の繰出装置。」（以下、「刊行物１記載の発明」という。）
　
3.2　刊行物２
ａ．（明細書段落【０００１】）
「【０００１】
【産業上の利用分野】本発明は、両替機、ゲーム機等で硬貨またはメダル（本明細書ではコインと総称する）を１個宛送出するために用いられるコイン送出装置に関するものである。」
ｂ．（同段落【０００７】〜【０００９】）
「【０００７】
【実施例】本発明の１実施例を図面につき説明する。　図１は多数のコインをバラ状態で収容するホッパー１内の一側で傾斜支持板２上に回転されるコイン送りディスク３を示す。
【０００８】このコイン送りディスク３は、図３に示すように、処理コインの厚さの４倍以上の厚さを有し、また、図２に示すように、コイン送りディスク３の外周部分に、複数個のコイン受け孔４が円周方向に離間した位置で貫通され、コイン送りディスク３の下面にコイン送り爪５が各コイン受け孔４，４間で半径方向に対して傾斜してディスク外周縁３ａから少なくともコイン受け孔の中心を通る円上まで延長して突設されている（図５参照）。
【０００９】図１および図２に示すように、複数個のコイン攪拌突起６が円周方向に離間した位置で内面に突設されたディスク周壁７をコイン送りディスク３が有し、コイン送りディスクを包囲するホッパーの円筒形部分８が前記傾斜支持板２上に嵌合継手１３によって着脱自在に取付けられ、前記円筒形部分の端面に切欠９が設けられて傾斜支持板の表面との間にコイン出口孔１０が開口され、このコイン出口孔１０に２個のガイドローラ１１，１２がピン軸１４，１５によってコイン送り円板３の円周方向に離間して設けられている。」
　
　上記摘記事項を、技術常識を勘案しつつ、本件発明の記載に沿って整理すると、刊行物２には、以下の発明が記載されていると認められる。
「コイン送出装置において、コイン送りディスクの直近側方にコイン出口孔を形成する一対のガイドローラを有する点。」（以下、「刊行物２記載の事項」という。）
　
3.3　刊行物３
ａ．（明細書段落【０００１】）
「　　【０００１】
　　【産業上の利用分野】
　本考案は、硬貨計数機、硬貨分類機および硬貨包装機などの硬貨処理機に適用される硬貨送出装置に関する。」
ｂ．（同段落【００１３】〜【００１５】）
「　　【００１３】
　外枠１の内側後寄りには、回転円盤11が中央に固着された回転軸12を中心として回転自在に配設されている。この回転円盤11は、例えば１００mm程度の小径に形成されており、上面には、中央付近に突部13が回転軸12に対して偏心した位置に取り付けられ、周縁部近傍に環状の溝部14が形成されて例えばウレタンなどの摩擦係数の高い材料からなる環状の送出体15が取り付けられ、突部13と送出体15との間に例えばゴムなどの摩擦係数の高い材料からなる複数の送出部材16が取り付けられている。この送出部材16は、断面略半円状の棒状に形成され、回転円盤11の回転方向（図２の矢印方向）の上流端が回転軸12に近接するとともに、下流端が送出部材15に近接するように、等間隔毎に配列されている。
　　　【００１４】
　回転円盤11の下側には従動ギヤ17が同心円に固着され、この従動ギヤ17に複数の中間ギヤ18，19を介して駆動ギヤ20が噛合し、この駆動ギヤ20は駆動モータ21の駆動軸22に固着されている。この駆動モータ21は、外枠１の前側左部に配設されている。
　　　【００１５】
　また、外枠１の上部には、回転円盤11より上方位置に、硬貨貯留ホッパ31が開閉可能に設けられている。この硬貨貯留ホッパ31は、外枠１の内側に嵌合する形状の台板32を有し、この台板32の後部が外枠１の後部にヒンジ33によって開閉回動可能に連結されている。この台板32の前端左部には、駆動モータ21が突出する切欠部34が形成されている。また、外枠１の内側には、硬貨貯留ホッパ31を外枠１に嵌合した際、台板32の下面が当接して台板32の高さを位置決めする位置決めストッパ35が複数設けられている。」
ｃ．（同段落【００１８】〜【００１９】）
「　　【００１８】
　また、硬貨貯留ホッパ31の回転円盤11に対向する下面には、回転円盤11の回転による遠心力によって送出される硬貨を案内する凹溝状の硬貨通路51が形成されている。この硬貨通路51は、周壁部材42の第１規制部44の右側位置に回転円盤11の回転による遠心力によって送出される硬貨が進入する入口部52が開口形成され、台板32の前端略中央位置に出口部53が形成され、入口部52から出口部53まで回転円盤11の外周縁に沿って円弧状に形成されている。
　　　【００１９】
　硬貨通路51の回転円盤11側の一側には基準通路壁部54が形成されている。この基準通路壁部54は、回転円盤11の上方に位置し、入口部52の一側を構成する上流端から徐々に回転円盤11の外径方向に向かって突出し、下流端が回転円盤11の外周縁から外れて出口部53の一側に連続するように形成されている。」
ｄ．（同段落【００２３】〜【００２４】）
「　　【００２３】
　また、硬貨通路51の終端近傍の回転円盤11よりやや外側位置に、基準通路壁部54に沿って送出される硬貨を検知する検知センサ71が設けられている。この検知センサ71は、投受光式光センサからなり、台板32に投光器72が取り付けられ、硬貨通路51の下方に支持された支持部材73に受光器74が取り付けられ、投光器72と受光器74との間で検知光の投受光が行なわれる。そして、検知センサ71は、硬貨の通過時に検知光が遮光されることで硬貨１枚の送出が検知されるとともに、検知光の遮光時間が硬貨の直径に対応していて硬貨の金種が判別される。
　　　【００２４】
　また、硬貨通路51の出口部53の下方には装置外に通じる硬貨排出口81が形成され、この硬貨排出口81の周囲には硬貨排出口部材82が配設されている。この硬貨排出口部材82は、枠状で外枠１に取り付けられ、硬貨通路51の上流側に対応する縁部高さは回転円盤11よりも低く、硬貨通路51の下流側に対応する縁部には回転円盤11の上面と略同じ高さで硬貨の飛び出しを規制する規制縁部83が上方に突出形成されている。」
ｅ．（同段落【００３４】）
「　　【００３４】
　押圧部材62の下側から外れた硬貨は、回転円盤11の回転による遠心力によって硬貨通路51の出口部53から硬貨排出口81に放出されて装置外へ落下する。このとき、硬貨通路51から硬貨が勢い良く飛び出しても、硬貨排出口部材82の規制縁部83や外枠１の内壁面に硬貨が当たって下方へ落下する。」
ｆ．（図１，図２，図４）
　外枠1は平面視でほぼ長方形であること、駆動モータ21が、駆動軸22を下方に突出する倒立状態で、出口部53の一側方の、回転円盤11と相対する、外枠1の一角部に固定されていること、検知センサ71は出口部53の他側方の、回転円盤11と相対し、かつ硬貨排出口81の端部であって前記一角部に相対する角部に配置されていること、及び硬貨排出口81は外枠1の、駆動モータ21の側方に形成した窪みからなること、が容易に理解されるように示されていると認める。
　
　上記摘記事項を、技術常識を勘案しつつ、本件発明の記載に沿って整理すると、刊行物には、以下の発明が記載されていると認められる。
「回転円盤を回転駆動するため下方に突出する駆動軸をもつ駆動モータを有する硬貨送出装置において、硬貨の出口部の一側方であって、かつ、回転円盤の片半側の円弧部分と相対する位置関係で駆動モータをその駆動軸が下方に突出する倒立状態でほぼ長方形の外枠の一角部に固定し、その側方の外枠を窪みに形成し、前記出口部の他側方であって、かつ、前記回転円盤の他片半側の円弧部分と相対し、前記窪みの端部に位置する関係で、検知センサを外枠の前記一角部に相対する角部に配置した点。」（以下、「刊行物３記載の事項」という。）
　
４．対比
　本件発明と刊行物１記載の発明とを対比すると、後者の「ホッパーケース」、「回転体」、「壁面部分」、「駆動ケース上壁」、「電動モータ」、「減速機構」、「カウンター部材」が、前者の「ホッパ」、「ディスク」、「爪」、「ベース板」、「電気モータ」、「ギヤ列」、「センサ」にそれぞれ相当することは明白である。後者の「メダル」は計数対象の円板状体である限りにおいて前者の「コイン」と共通しているから、後者の「繰出装置」は円板状体を繰り出して計数する装置である限りにおいて前者の「ホッパ装置」に相当し、後者の「メダル送出口」と前者の「コイン出口」とは円板状体の出口である限りにおいて一致するということができる。
　そうすると、両者は以下の点で一致及び相違するものと認められる。
　
4.1　＜一致点＞
「円板状体を収納する角漏斗形のホッパと、
前記ホッパの下部に位置し、円板状体が通過できる貫通孔及び円板状体を押出すための爪を下面に有するディスクと、
前記ディスクを配置したベース板と、
前記ディスクの直近側方に形成した円板状体出口と、
前記ディスクを回転するため回転軸を有する電気モータと、
前記回転軸と前記ディスクとを駆動連結するギヤ列と、
前記円板状体出口から払い出された円板状体の計数用のセンサと、
を有する円板状体のホッパ装置において、
前記ベース板は前記ディスクの下方にあり、前記電気モータを前記ホッパの一角部の下方に固定し、前記センサを前記ホッパの前記一角部に相対する角部の下方に配置した円板状体のホッパ装置。」である点。
　
4.2　相違点１
　円板状体は、前者ではコインであるのに対し、後者ではメダルである点。
　
4.3　相違点２
　前者では爪によって押し出されるコインがスライドするプレートを有するのに対し、後者ではこのような特定がない点。
　
4.4　相違点３
　前者ではディスクの直近側方にコイン出口を形成する一対のローラを有するのに対し、後者ではこのような特定がない点。
　
4.5　相違点４
　前者では、電気モータが下方に突出する回転軸を有し、ベース板は前記コイン出口の一側方であって、かつ、前記ディスクを前記コイン出口側から視たその片半側の円弧部分と相対する位置関係での側方に位置する突出部分によって平面視ほぼ長方形であって、前記突出部分の側方であって前記出口の前方は前記突出部分に対し窪みに形成され、前記突出部分に前記電気モータを前記回転軸が下方に突出する倒立状態でホッパの一角部の下方に固定し、前記コイン出口の他側方であって、かつ、前記ディスクを前記コイン出口側から視たその他片半側の円弧部分の端部と相対し、かつ前記窪みの端部に位置する関係で、センサを前記ホッパの前記一角部に相対する角部の下方に配置したのに対し、後者ではこのような配置となっていない点。
　
５．当審の判断　
　次に、上記各相違点について検討する。
　
5.1　相違点１について
　コインもメダルも、形状、材質、用途ともに類似しているため、メダルの繰り出しと計数を行う刊行物１記載の発明を、コインの繰り出しと計数に適用することは、当業者が容易に想到し得る。
　
5.2　相違点２について
　ディスクの爪に押出されるコインがベース板上でスライドする部分をプレートによって覆う程度のことは、スライド部分の摺動を滑らかにするとともに保護するという従来周知の課題に鑑みると、当業者が適宜設計し得る事項の範囲内である。
　
5.3　相違点３について
　刊行物２記載の事項の「コイン送出装置」、「コイン送りディスク」、「コイン出口孔」、「ガイドローラ」が、それぞれ本件発明の「コインのホッパ装置」、「ディスク」、「コイン出口」、「ローラ」に相当することは明白であるから、刊行物２には「コインのホッパ装置において、ディスクの直近側方にコイン出口を形成する一対のローラを設けること」が記載されているということができる。
　刊行物２記載の事項は、刊行物１記載の発明と同様に円板状体であるコインのホッパ装置に関するから、刊行物２記載の事項を刊行物１記載の発明に適用して相違点３に係る発明特定事項を本件発明のものとすることは当業者が容易に想到し得る。
　
5.4　相違点４について
　刊行物３記載の事項の「外枠」、「回転円盤」、「駆動軸」、「駆動モータ」、「出口部」、「検知センサ」、「硬貨送出装置」が、本件発明の「ベース板」、「ディスク」、「回転軸」、「電気モータ」、「コイン出口」、「センサ」、「コインのホッパ装置」にそれぞれ相当することは明白であるから、刊行物３には「ディスクを回転駆動するため下方に突出する回転軸をもつ電気モータを有するコインのホッパ装置において、コイン出口の一側方であって、かつ、ディスクの片半側の円弧部分と相対する位置関係で電気モータをその回転軸が下方に突出する倒立状態でほぼ長方形のベース板の一角部に固定し、その側方を窪みに形成し、前記コイン出口の他側方であって、かつ、前記ディスクの他片半側の円弧部分と相対し、前記窪みの端部に位置する関係で、センサをベース板の前記一角部に相対する角部に配置した点。」が記載されているということができる。
　刊行物３記載の事項において、電気モータをベース板に固定した部分が、ベース板に形成した窪みから見れば、「突出部分」をなすことは、容易に理解されるところであり、また、刊行物３記載の事項において、ディスクをコイン出口側から視た状態での電気モータの固定部分とセンサの配置は、本件発明の配置と変わるところはない。
　そして、刊行物３記載の事項は、コイン、すなわち円板状体のホッパ装置に関するから、刊行物３記載の事項を、同じく円板状体のホッパ装置に関する刊行物１記載の発明に適用して相違点４に係る発明特定事項を本件発明のものとすることは当業者が容易に想到し得る。
　
5.5　まとめ
　本件発明による、ホッパ装置の投影面の範囲内、すなわち角漏斗状のホッパの下方空間内、でコインの払出処理を行うことができるため、ホッパ装置を組み込んだ装置を小型化することができるという作用効果は、刊行物１記載の発明及び刊行物２，３記載の事項とに基づいて普通に予測される域を出ないから、本件発明は刊行物１記載の発明及び刊行物２，３記載の事項とに基づいて当業者が容易に発明をすることができたものというべきである。
　
６．むすび　
　以上のとおり、本願の請求項１に係る発明は、刊行物１記載の発明及び刊行物２，３記載の事項に基いて当業者が容易に発明をすることができたものであって、特許法第２９条第２項の規定により特許を受けることができないものであるから、本願は拒絶すべきものである。
　よって、結論のとおり審決する。